【手続補正書】
【提出日】令和1年11月6日(2019.11.6)
【手続補正１】
【補正対象書類名】明細書
【補正対象項目名】０００７
【補正方法】変更
【補正の内容】
【０００７】
上記目的を達成するために、本発明のレンズ鏡筒は、当該レンズ鏡筒の光軸方向に移動する第１の光学部材と、前記光軸方向に移動する第２の光学部材と、前記第１の光学部材および前記第２の光学部材の各々とカム係合し、光軸に平行なカム軸の周りに回転可能に保持されるカム部材と、前記第１の光学部材を駆動するリニアアクチュエータと、を備え、前記カム部材は、前記カム部材と前記リニアアクチュエータにて光軸方向に移動する前記第１の光学部材とのカム作用により回転し、前記第２の光学部材は、前記カム部材が回転することで、前記第２の光学部材と前記カム部材とのカム作用により光軸方向に移動し、前記カム部材は前記第１の光学部材の外周部に配置されることを特徴とする。
【手続補正２】
【補正対象書類名】特許請求の範囲
【補正対象項目名】全文
【補正方法】変更
【補正の内容】
【特許請求の範囲】
【請求項１】
レンズ鏡筒の光軸方向に移動する第１の光学部材と、
前記光軸方向に移動する第２の光学部材と、
前記第１の光学部材および前記第２の光学部材の各々とカム係合し、光軸に平行なカム軸の周りに回転可能に保持されるカム部材と、
前記第１の光学部材を駆動するリニアアクチュエータと、を備え、
前記カム部材は、前記カム部材と前記リニアアクチュエータにて光軸方向に移動する前記第１の光学部材とのカム作用により回転し、
前記第２の光学部材は、前記カム部材が回転することで、前記第２の光学部材と前記カム部材とのカム作用により光軸方向に移動し、
前記カム部材は前記第１の光学部材の外周部に配置されることを特徴とするレンズ鏡筒。
【請求項２】
前記カム部材には、前記第１の光学部材を構成するカムピンが係合する第１のカム溝と、前記第２の光学部材を構成するカムピンが係合する第２のカム溝とが形成され、
前記第１のカム溝のカム傾斜角は、前記第２のカム溝のカム傾斜角よりも大きいことを特徴とする請求項１に記載のレンズ鏡筒。
【請求項３】
前記第１の光学部材および前記第２の光学部材をそれぞれ光軸方向にガイドするガイドバーを備え、
前記カム部材、前記ガイドバーおよび前記リニアアクチュエータは、光軸と直交する一方向に配置されていることを特徴とする請求項１又は２に記載のレンズ鏡筒。
【請求項４】
前記第１の光学部材がワイド位置からテレ位置に移動する際の前記第１の光学部材の前記カム部材に対する移動方向は、一方向のみであることを特徴とする請求項１乃至３のいずれか一項に記載のレンズ鏡筒。
【請求項５】
請求項１乃至４のいずれか一項に記載のレンズ鏡筒を備えることを特徴とする撮像装置。
【請求項６】
前記カム軸は、前記光軸を中心として前記リニアアクチュエータとは反対の位置に配置されることを特徴とする請求項１乃至４のいずれか一項に記載のレンズ鏡筒。
【請求項７】
少なくとも第１の光学部材および第２の光学部材を光軸方向に移動させることによってワイド位置からテレ位置まで撮影倍率を変更するレンズ鏡筒であって、
前記第１の光学部材が係合する第１のカム溝と、前記第２の光学部材が係合する第２のカム溝を外周部に有し、１２０°以上回転可能なカム部材と、
前記カム部材を回転させる駆動装置と、を備え、
前記カム部材の回転に伴って前記第１の光学部材と前記第２の光学部材が光軸方向に移動するものであって、
前記第１のカム溝を所定の径で展開させたときの移動軌跡は、光軸と直交する方向との角度が所定の傾斜角である直線状であり、
前記第１のカム溝は、前記第１の光学部材のカムピンと係合する２つの面を有する溝形状からなり、
前記第２のカム溝を所定の径で展開させたときの移動軌跡は、非直線状であり、
前記第２のカム溝は、前記第１のカム溝が設けられた側に設けられた面を有する凸部を有し、該面は前記第２の光学部材のカムピンと係合し、
前記カム部材の前記第１のカム溝が形成される部分の直径と、前記カム部材の前記第２のカム溝が形成される部分の直径とは互いに異なることを特徴とするレンズ鏡筒。
【請求項８】
前記カム部材は、前記第１の光学部材及び前記第２の光学部材の外周部に配置され、段差のある軸形状であることを特徴とする請求項７に記載のレンズ鏡筒。
【請求項９】
前記第１のカム溝および前記第２のカム溝のいずれかのカム溝は、前記カム部材の回転の中心に近いほど溝幅が広くなるくさび形状になっていることを特徴とする請求項７又は８に記載のレンズ鏡筒。
【請求項１０】
レンズ鏡筒の光軸方向に移動する第１の光学部材と、
前記光軸方向に移動する第２の光学部材と、
前記第１の光学部材および前記第２の光学部材の各々とカム係合し、光軸に平行なカム軸の周りに回転可能に保持されるカム部材と、
前記第１の光学部材を駆動するアクチュエータと、を備え、
前記カム部材は、前記カム部材と前記アクチュエータにて光軸方向に移動する前記第１の光学部材とのカム作用により回転し、
前記第２の光学部材は、前記カム部材が回転することで、前記第２の光学部材と前記カム部材とのカム作用により光軸方向に移動し、
前記カム部材は、自身に形成された、前記第１の光学部材を構成する第２のカム係合部材が係合する第１のカム係合部材と、前記第２の光学部材を構成する第４のカム係合部材が係合する第３のカム係合部材とを有し、
前記第１のカム係合部材のカム傾斜角は、前記第３のカム係合部材のカム傾斜角よりも大きいことを特徴とするレンズ鏡筒。
【請求項１１】
前記第１のカム係合部材および前記第３のカム係合部材の各々はカム溝を備え、前記第２のカム係合部材および前記第４のカム係合部材の各々はカムピンを備えることを特徴とする請求項１０に記載のレンズ鏡筒。
【請求項１２】
少なくとも前記第１の光学部材および前記第２の光学部材を前記レンズ鏡筒の光軸方向に移動させることによってワイド位置からテレ位置まで撮影倍率を変更し、
前記第１のカム係合部材は第１のカム溝を有し、前記第３のカム係合部材は第２のカム溝を有し、
前記カム部材を回転させる駆動ユニットをさらに備えることを特徴とする１０又は１１に記載のレンズ鏡筒。
【請求項１３】
前記第１のカム溝は、その２つの面が前記第１の光学部材と係合する溝形状からなり、
前記第２のカム溝は、前記第１のカム溝が設けられた側に前記第２の光学部材と係合する面が設けられる凸部を有することを特徴とする請求項１２に記載のレンズ鏡筒。
【請求項１４】
前記第２のカム溝は、前記第２の光学部材との係合が外れることを防止する脱落防止部を備えたことを特徴とする請求項１３に記載のレンズ鏡筒。
【請求項１５】
前記カム部材の前記第１のカム溝が形成される部分の直径と、前記カム部材の前記第２のカム溝が形成される部分の直径とは互いに異なることを特徴とする請求項１２乃至１４のいずれか一項に記載のレンズ鏡筒。
【請求項１６】
前記カム部材を成形する際、前記第１のカム溝と、前記第２のカム溝は、１つの回転抜き駒によって形成されることを特徴とする請求項１２乃至１５のいずれか一項に記載のレンズ鏡筒。
【請求項１７】
前記カム部材は、前記第１の光学部材および前記第２の光学部材の外周部に配置され、段差のある軸形状であることを特徴とする請求項１２乃至１６のいずれか一項に記載のレンズ鏡筒。
【請求項１８】
前記第１のカム溝および前記第２のカム溝のいずれかのカム溝は、前記カム部材の回転の中心に近いほど溝幅が広くなるくさび形状になっていることを特徴とする請求項１２乃至１７のいずれか一項に記載のレンズ鏡筒。